(57)【特許請求の範囲】
【請求項１】
四角形、六角形、八角形のように複数の偶数の側辺を有する正多角形盤状ブロックの表面周縁部に空洞状の天然石材突出模様を形成し、各側辺中央部に嵌合突部と該嵌合突部を受け入れる嵌合凹部とを交互に形成したことを特徴とする護床用コンクリートブロック。
【請求項２】
複数の側辺を有する多角形盤状ブロックの表面に玉石または岩石などの天然石材を埋設したり天然石材突出模様を形成したことを特徴とする請求項１に記載の護床用コンクリートブロック。
【請求項３】
請求項１〜２の何れか１つに記載の護床用コンクリートブロックの複数個を、それらコンクリートブロックの嵌合突部と嵌合凹部とを相互に嵌合させて設定したことを特徴とする護床コンクリートブロック工。
【発明の詳細な説明】
【０００１】
【発明の属する技術分野】
本発明は護床用コンクリートブロックおよび護床コンクリートブロック工に係り、河川や湖沼などの法尻や床を形成するための護床用コンクリートブロックおよび該コンクリートブロックによる好ましいブロック工、更には魚道などをも形成した護床ブロック工を提供しようとするものである。
【０００２】
【従来の技術】
コンクリートブロックを用いて河川の法尻や床などの護岸や水制や根固めのブロック工を形成することは従来から種々に実施されているが、工場生産されたコンクリートブロック相互を連結することが必要で、このためブロックの側縁部などに連結環を突設し、このような連結環部相互をシャックルなどを用いて連結することが広く採用されている。
【０００３】
【発明が解決しようとする課題】
上記したような従来の護床ブロック工は各ブロックに特別な連結環を一般的に複数個宛取付けるための工作が相当の工数を必要とし、勿論シャックルなどを別に用意することとなると共に、連結施工するためには矢板壁などを形成して河川に無水の状態を形成することが必要であり、相当に多くの工数ないし期間を必要とする不利がある。
【０００４】
また上記のように特別な金具を必要とし、ブロックの成形と現場における工数の多いことは何れにしてもコストアップとなり、しかも設定されたブロックの底面部分に急速な底流の発生が避けられず、即ち急速な底流によってブロックの下面に洗掘の発生が避けられないので折角の護床工によっても充分な床固めを期待できないなどの欠点を有している。
【０００５】
【課題を解決するための手段】
本発明は上記したような従来のものにおける技術的課題を解決することについて検討を重ね、シャックルなどを必要としないで連結関係を構成すると共にブロックの底面側に溝部や凹凸部を形成して急速な底流の発生を適切に回避し、また上部に補助部体を嵌合させて魚道を兼ねた好ましい護床ブロック工を得ることに成功したものであって、以下の如くである。
【０００６】
四角形、六角形、八角形のように複数の偶数の側辺を有する正多角形盤状ブロックの表面周縁部に空洞状の天然石材突出模様を形成し、各側辺中央部に嵌合突部と該嵌合突部を受け入れる嵌合凹部とを交互に形成したことを特徴とする護床用コンクリートブロック。
【０００８】
複数の側辺を有する多角形盤状ブロックの表面に玉石または岩石などの天然石材を埋設したり天然石材突出模様を形成したことを特徴とする前記０００６の護床用コンクリートブロック。
【００１４】
前記０００６または０００８の何れか１つに記載の護床用コンクリートブロックの複数個を、それらコンクリートブロックの嵌合突部と嵌合凹部とを相互に嵌合させて設定したことを特徴とする護床コンクリートブロック工。
【００１５】
【発明の実施の形態】
上記したような本発明によるものの具体的な実施態様を添附図面に示すものについて説明すると、本発明においては複数の側辺を有する正多角形盤状体として代表的に図１と図２ないし図３に示すような護床用コンクリートブロックを提案するものであって、採用される河川の流速、流量によって必要とされるブロック重量を厚さを変えることによって対応させるが代表的に図２に示すような方形ブロックの場合は一般的に厚さが一辺の長さに対し３分の１〜５分の１、特に４分の１前後である複数側辺の正多角形盤状ブロック１における一方の対向側辺１１、１１の中間部に幅がブロック１幅の４分の１前後（５分の１〜3.５分の１）であり、突出高さがブロック１幅の８分の１前後（９分の１〜７分の１）である嵌合突部１２、１２を対設し、また他方の側面１３、１３には該嵌合突部１２を受入れる嵌合凹部１４、１４を対設したものであり、この方形ブロックにおいては、全周３６０度を４辺で割った９０度を各ブロック回転させ、嵌合凹部に嵌合凸部を突き合わせて据え付けることで矢板壁等で水を堰止めなくても連続して護床工を形成できる。なお前記した正多角形盤状ブロック１の各側辺長さは一般的に1.０ｍ以上であり、またブロック１の重さは３００kg以上5.０トン程度である。
【００１６】
図１に示すものは本発明による正多角形盤状ブロックとして側辺数が中間的である六角形盤状ブロックが示されているが、それらの各側辺における中央部に嵌合突部１２と該嵌合突部１２を受入れる嵌合凹部１４とが交互に形成されている。このような図１のものに対し図２のものは本発明正多角形盤状ブロックとして側辺数が少ない四角形盤状ブロックの場合を示し、この場合においても嵌合突部１２と嵌合凹部１４とが各側辺の中央部において交互に形成されていることは図１の場合と同じである。
【００１７】
更に図３においては側辺数の多い八角形盤状ブロックが示されているが、この場合においても各側辺における中央部に嵌合突部１２と嵌合凹部１４とが交互に形成されている。また図４のものは図２の四角形盤状ブロックのコーナー部に角取り部を形成したブロック全般としては同じく八角形であるが、嵌合突部１２と嵌合凹部１４の配設については１つおきの各側辺中央部において交互に形成されている。
【００１８】
図５と図６には上記のような盤状ブロック１を連繋設定して護床ブロック工を形成する構成関係が示され、図５のものは図１に示したブロック１によるもので亀甲型に各ブロック１が組込まれ水流などの外部作用力に対し安定な設定をなし得ることは明らかである。図６のものは図２に示したブロック１による護床ブロック工であって整然たる組合わせ状態を形成し得ることは明らかである。また図３に示したコンクリートブロックを用いた護床ブロック工は図７の如くであり、コーナー部が四角形の空間部３３が形成されるが図２の四角形盤状ブロックと組み合わせることで一面に敷き詰めることができ、パズルの如くなりより強固に安定する。なお、図４に示したコンクリートブロックによる護床ブロック工は図８の如くであるが、連繋されたブロック間に空間部３４が形成され、これらの空間部３４はブロックの厚さ方向における通水および魚類などの出入を図らしめる。
【００１９】
更に本発明においては図９と図１０のようなコンクリートブロックを得ることができ、即ち上記のような複数側辺を有する正多角形盤状ブロック１の底面に中央部で直交状に交叉し、ブロック１のコーナ部からコーナ部に達し、中央位置で交叉した凹溝２を形成したもので、このものは河川の流れ方向に対し凹溝２が４５゜の方向を採って設置されることによりブロック底面における底流の速度を減少して洗掘を防止し、また水底部棲息魚などの住み処や魚道として機能する。前記凹溝２の幅は入口部（底面）でブロック幅の６分の１前後（5.５分の１〜７分の１）、奥部（谷部）でブロック幅の９分の１前後（８分の１〜１０分の１）の断面的に台形をなし、その深さはブロック厚さの３分の１前後（2.５分の１〜４分の１）である。
【００２０】
図９と図１０に示したものは、前記嵌合突部１２および嵌合凹部１４がそれぞれ円弧状（半円状）のものであるのに対し、図１１に示したものは台形状の嵌合突部１２ａと嵌合凹部１４ａを設けた場合が示されており、凹溝２については図９、図１０のものが台形断面であるのに対し図１１のものは円弧状断面であるが、そうした嵌合突部１２、１２ａ、嵌合凹部１４、１４ａのブロック１に対する寸法関係、あるいは凹溝２の寸法関係は前記したところと同様である。
【００２１】
なお上記した図９および図１０のものは正方形盤状ブロック１の角部に角取り面１５が形成され、従って前記した凹溝２はそうした角取り面１５に開口されていることは各図に示されている通りであり、このようなブロック１を嵌合突部１２と嵌合凹部１４を嵌合させて配列した状態は後述する図１５および図１７の如くであって、角取り面１５が突き合わされた状態で配設されることにより各ブロック間に厚さ方向の角形孔９が形成されることは図示の如くで、前記図７、図８について説明したところと同様であり、図１５の角形孔９はブロック１の底面に連通していて上部からの魚類出入を図らしめ、洪水時などの増水時における一時退避所や休憩場所となる。図１５は流速を落とすため凹溝２を表面側として配設したものであって、また斯かる角形孔９に対しては適宜石材や建設廃材であるコンクリート塊などを充填して水生昆虫や稚魚などの水中生物棲息部となし、また石材間通水による礫間接触酸化で河川水の浄化を図らしめ、図１７における角形孔９においてはブロック底部における凹溝２に進入した流水を上方に放流してブロック工の安定化を図る。
【００２２】
上記したような図９〜図１１のものに対して前述した図５に示したようなブロック上面に保持部材取付部３を配設して丸太状部材４を杭状として取付けた状態は図１２に示す如くであり、また底面に円形凹溝を形成したブロックに対し丸太状部材４を間隔を採って横設し多段の格子枠状に組んで枠状部５として取付けた状態は別に図１３として示す如くであり、更に図１に示したブロックを嵌合連結させて配設しその上面に丸太状部材を杭状として取付けたものと、枠状部５を取付けたものとを適宜に併用せしめ水制を兼ねた護床ブロック工として河川などの底部に連繋設定した状態は図１４として示す如くである。
【００２３】
即ち、図１２のように略一定高さの丸太状部材４を杭状として配設したブロックを図１４に示すように河川の流れ方向に対し直角方向として岸部から突設することによって透過性水制工を構築し丸太状部材４が水の流れを減速乱流させて多種多様な流れを形成し、また流れの背面側に土砂が堆積して渕や瀬を形成し、更に水制工の下流側には大きな湾処の淀み部を作って何れにしても魚類等の生育に適した条件を構成し、杭の高さを変化させることによって水鳥などの止り木とすることもできる。図１３のように多段枠状５としたものにおいてはその中に天然石材や前記した建設廃材としてのコンクリート塊３２などを装入充填させて木工沈床を形成し河川中に浮島あるいは水制工としての作用を得しめ、石材間の通水で水の浄化を図ると共に小魚や水中昆虫などの棲息、避難に適した条件を形成する。なお図１３に示したような多段枠状体の上部にヤシ繊維材や石綿繊維などの天然繊維やスポンジ等の植生部材を設置することにより、ヨシやアシあるいはガマなどの水辺植物を生育せしめることができ、即ちこのような自然生育植物による浄化や緑化によって自然に適合した景観を形成することができる。
【００２４】
更に本発明によるものは前記したような凹溝２側を表面としたブロック工を形成することができ、即ち図１５としてそうした設定状態が示されており、流速の速い河川においてはその流れ方向に対し４５°の傾斜角を採って設定された凹溝２はその流速を低減して遊泳力の弱い魚類の通路となり、また流水の少ない条件下においてはその流路となる。凹溝２の交点である角形孔９は休息場や洪水時の避難場所となり、またこの孔に石材やコンクリート塊３２を充填して水生昆虫の棲息場としても機能せしめ、また河川底面の凹凸を吸収し、ブロック１を河川底に沿った安定状態に設定せしめる。
【００２５】
図１６には図９および図１０に示したようなブロック１において底面の凹溝２を断面円形状として形成したものが示され、しかも該ブロックの表面に玉石や割石などの天然石材を埋設し、あるいは擬玉石または擬岩状のような天然石立体模様６を形成したブロック１ａが示され、このような天然石材や立体模様６によって水の流れを変化させ、特に上下方向に変化させることによって空気を水の中に取込んで溶存酸素量を高め、同時に攪拌作用して水質浄化を図るようにしたものが示されている。このような天然石材や立体模様６は場合によってはブロック１ａ自体が天然の河川床に準じた外観を形成することはその配設関係を示した図１７の如くであって、上記のような天然石材または立体的模様６部分には水草や藻類が着生して魚類などの餌場を提供する。また底面の凹溝２や角形孔９は前述した如くで魚の通り道や休息所ないし隠れ場のある自然の河川底にマッチした護床工を提供することができる。なおブロック１ａには適宜にブロック表面の立体的模様６の間に凹み部１０を形成することで一時休憩場である澱み部を形成することができる。
【００２６】
図１６、図１７に示したような天然石立体模様６はこれに代えて後述する図２７と図２８に示すように幾何学的立体模様７を形成し、あるいはブロック１の中央部に凹部８を幾何学的に形成したブロック１ｂとすることができる。即ち前記立体模様７は水流に変化を与えることは上述した立体模様６と同様であるが、別に図２７として示すように立体模様７が各コーナ部に突設されたものにおいて底面に図２８のように形成された幾何学的凹部８を図２９のように前記立体模様７を４個集合させて形成される集合立体模様１６とし、このような集合立体模様１６を前記した図２８に示すような幾何学的凹部８に対して、別に図３２に示すように段重ねして嵌合設定するならば上下層のブロックが相互に係合し強固に集合一体化した大重量の護床ブロック工を形成することができ、法面水際部などの護岸壁としたり、河川の横断面に対し中央部を一段低くすることにより簡易な砂防ダムなどとして採用し得る。
【００２７】
図１８〜図２０には本発明によるもう１つのブロックとして魚種や魚の体力に見合った多様な魚道を形成することができるようにされた粗石斜面型ブロックが示され、図２１と図２２にはその連繋配設状態の断面図と平面的関係が示されている。即ち、このブロックは図２１に示すように急流落差部に対し傾斜状に設定されるものであって、各ブロックにはその表面に図１８において示されているように大小の高さの異なった多数の天然石材を埋設し、あるいは天然石材様の擬石または擬岩模様６を配設し、しかも部分的に澱み部となる凹み部１０や遊泳力の弱い魚種の休息場、鳥類からの避難場所となる空洞状擬岩模様２０をコーナー部に形成したもので、このようなブロック１ｃで図２１のように河川床を形成することにより水はその石材または模様や凹み部１０の間にその大きさや高さの相異および配設関係から多様に流速、水深の変化した水流を形成することになり、遊泳する魚は夫々の魚種や体力（遊泳力）に応じた水流を選んで遡上または流下し得るものである。
【００２８】
即ち落差を有する水路において単に堰を設けたのでは殆んどの魚が遡上できないことになり、上流で産卵または孵化ないし放流した稚魚等は堰部からの落下による衝撃ないし圧力で内蔵を損傷あるいは弱化せしめられることとなるのに対し、上記のように大小多数の石材または石材状模様６の配設されたブロック１ｃを設定することによって流速や水量（水深）が多様に異った複合流を形成せしめ、適切に選択された遡上または流下を可能となし得る。またブロック１ｃのコーナー部に股がって下部に出入口を設けた空洞状擬岩模様２０が形成され、遊泳力の弱い魚種は一気に遡上できないので休息が必要であるが、水深が浅いので鳥などの攻撃を受け、餌となり易いが、庇ないしカバーつきとすることにより上方から見えないことになり安心して休息できる退避所として有効に利用され、遡上、流下が容易にできる。
【００２９】
図２３〜図２６には空洞状擬岩模様を各周辺部の中間に配置し、部分的に凹部を形成した本発明による護床用コンクリートブロック１ｄが示されており、ブロック１ｄの中央部の如きに澱み部となる凹み部１０を形成すると共に上述した図１７までのものと同様の石材または石材状模様６とブロック１ｄの中間部における既述したような嵌合突部１２ａまたは嵌合凹部１４ａ部分に空洞状擬石模様２０を形成したものである。
【００３０】
即ち、これら図２３〜図２６を単なる河床に使用したときは澱み部となる凹み部１０の形成によって魚の休憩場が得られ、流下する土砂の堆積によって水棲昆虫などの住み場ともなる。またブロック１ｄの境界部に股がって擬石模様２０が形成されると共に該擬石模様２０の内部が空洞部として貯水し、単なる護床工とした場合は遊泳魚類などの休養または退避所となる。また図２１に示すように粗石斜面式魚道とした場合においては前述した図１８〜図２２と同様の効果を得ることができることは云うまでもないことである。
【００３１】
なお前述した図２７のように幾何学的立体模様７が突出したもので図２９のように配列設定することで水流に変化を与えることは上記の如くである。また図２８のように幾何学的凹部８を底面側に形成したもので上向きとしてブロック１ｂを図３１に示す如く配列設定したものはその上を河川水が流れることによって各凹部８内に澱み部が形成され、魚類などが遡上する場合において一時的な休み場を提供することができる。またこの状態で図２９においては底部の凹部８が、図３１においては底部の立体模様７が河川床の凹凸に対処し安定な設定を図ることは前述したところと同じである。
【００３２】
この図２７に示したようにブロック１ｂの角部に幾何学的立体模様７を配設して根固め工とした場合においても前記した図１２に示したものと同様に丸太状部材４を配設することができることは図３０に示す如くで、このように丸太状部材４を配設した透過性水制工は図３０のように配設された護床ブロック工において集合立体模様１６による水流変化と丸太状部材４による前記図１２による作用の双方を結合した水制作用を得しめる。更に図１３のように丸太状部材４を格子枠形として組んだ井桁枠状部５を形成して天然石材やコンクリート塊を装填することによって木工沈床を形成することができ、例えば図３０に示すように岸部から直角方向に突出させて設置することによって好ましい水制工を得ることができる。
【００３３】
図３３と図３４はブロック上に凹入屈曲した流路１８を形成した本発明による護床用コンクリートブロック１ｅおよびその連繋設定された護床コンクリートブロック工状態が示され、また図３５と図３６にはこのようなコンクリートブロック１ｅ上にストレートな流路を形成するようにした本発明護床ブロックおよびその連繋設定状態が示されている。
【００３４】
即ち、これらのブロック１ｅにおいては何れもブロック１ｅの上面中央部に方形凹部１７が形成され、また該方形凹部１７と周縁を連結する連結凹溝１８が同じく上面に形成され、図３４のブロックは方形凹部１７の端部寄りに連結凹溝１８が形成されたもので、図３６のものは連結凹溝１８をブロック１ｅの中央部に設けたものであって、ブロック１ｅ上を流れる水は方形凹部１７部分で澱み状態となり、図３３に示したものの凹溝１８は左右に振り分けられて直線の流路とならないような幾何学的模様としたもので、水流を蛇行させると共に分流するので流速を遅くでき、ブロック上面における凹部１７および凹入流路１８の各部において流速、水深が異なり、魚種の大小や遊泳力の違いによる最適の流路を選択せしめ、特に急流部の根固め工としてその底部流速低減を図るのに適している。また図３５、図３６に示したものの凹溝１８内では流路が直線状となり、流速が大で遡上、流下が最短となるが、この場合には淀み状態の方形凹部１７が近接して形成されているので魚類などの遊泳通過に特別な困難さはなく、特に流速の遅い下流側の根固め工に適している。なお何れのブロックも方形凹部１７と凹溝１８部分で充分な水深を確保できるので鳥類からの保護としても機能する。
【００３５】
図４０には図３７〜図３９に示すような突出部１９を中間に形成した補助コンクリートブロック２１を用いてこの図４０に１例を示すように嵌合させ、別に図４１と図４２に示すように河川落差部の傾斜面に沿ってブロック１ｆを配設し、補助ブロック２１を流水方向を横断する方向として設定する全面越流型の階段式魚道あるいは部分越流型のアイスハーバー式魚道の場合が示されている。即ちブロック１ｆ上に形成された流路が浅くされると共に直線状のもののみとして補助ブロック２１を嵌合設定するようにしたもので、補助ブロック２１において溢流が形成され、またこの補助ブロックより上流側はプール式に貯水された階段式魚道を形成することができる。補助ブロック２１における突出部１９にはその両側に該補助ブロック２１の側方に突出した係止段３１を形成してよい。
【００３６】
前記した図３７〜図４０において夫々示されているように、補助ブロック２１においては中央部の如きに切欠部２２が低く形成されることにより全面が越流し、しかも中央部とその両側で溢流の水深、速度が変化した全面越流型階段式魚道となり、魚種、魚体の如何によって適宜の位置を選択して通過することができ、図４２に示すような突出部１９の背面下部部分は休憩場所となる。また前記切欠部２２を深く形成することにより切欠部２２のみから溢流し、両端部部分が静水域のプール部となって、遊泳力の弱い魚の休憩場所となり、越流型アイスハーバー式魚道とすることができる。なお補助ブロック２１その底部において図３８または図３９に示すような通口２３またはそれと交叉方向の通口２４を形成し、流れる水の少い条件下においても水流が堰止められることなく魚道を形成し、あるいは通常状態において休息部ないし穴居魚の棲息部とすることができる。更に、この図３８、図３９のものにおいて突出部１９の形状を断面円弧状として流水をスムースにさせるものであり、図３８のものはその表面を岩石状模様として自然景観に即応するようにしたものである。
【００３７】
図４５〜図４８には前記した図３７〜図３９とは別の補助ブロック２１として溢流部が一側において高く、他側において低くなるような段差を採って形成された若干例が示されている。即ち図４５〜図４７のものは高低の一様な段差を採って形成された場合であって、この補助ブロックの用法としては図４２のような水流方向を横断した設定状態で一段毎に１８０°反転させて設定することにより流下形成される流路を蛇行させ、その流速、水深を変化させることができ、勿論低い段差部を同じ側として流路を直線状に形成せしめ、更には複数列のブロック列において対称的に段差部を位置せしめ水流の幅を広くすることができ、何れにしても形成される流水の幅、勾配などを対象とする魚種に即応せしめ自在な魚道を形成し、また季節の如何などに応じて適宜に変化させることができる。なお図４６に示すような玉石模様、図４７のような岩模様とすることにより自然景観にマッチさせ得ることは前述同様である。また図４８のものは傾斜状に段差を形成した場合であり、これらのものは図３７〜図３９のものをも含めその何れかを適宜に選んで図４０のようにブロック１ｆに取付けることができ、またこのような補助ブロック２１のみを各種準備しておくことにより同じ図４０のようなブロック１ｆを用いて単なる根固めとし、あるいは溢流状態がそれぞれに異なった魚道を兼ねる本発明の護床コンクリートブロックとして簡易且つ低コストに提供することができる。
【００３８】
図４９には図１に示したような六角形状ブロック１に関して前述した図３３〜図３６に示したような凹入した流路１８および中央凹部３５を形成したものとし、このようなブロック１を連繋配設した根固めとしての護床コンクリートブロック工の状態が示されている。即ち中央凹部３５は正六角形状をなすことは図示の如くで、そのような中央凹部３５の各側辺中央部方向に前記流路１８が配設され、また嵌合突部１２と嵌合凹部１４との嵌合によって設定されることは図示の如くであるが、このようにして連繋設定されたものは方向性のない根固めコンクリートブロックとなり、河川の流水方向に対しどのような方向に配設連繋しても常に安定状態の設定をなすことができる。
【００３９】
本発明によるものは一般的には図１４、図１５、図１７、図２１、図２２、図２６、図２９〜図３２、図３４、図３６、図４１、図４２に示すように多数個のコンクリートブロック１または１ａ〜１ｆを連繋設定することにより容易に水際の護岸、水制、根固め、魚道、砂防等の護床コンクリートブロック工を形成することができる。このように連繋して設定された各コンクリートブロック１〜１ｆは嵌合突部１２、１２ａが嵌合凹部１４、１４ａに嵌合設定されていることからして河川流などの作用を受けても変動することが相互間で抑制されて、所定の設定状態を維持することができる。
【００４０】
前記した図９〜図４２のものは比較的簡易な構成となる図２に示した四角型や図４の八角形コンクリートブロックに関して示したが、同様の関係は前記した図１または図３に示したようなコンクリートブロックに関しても略同様に実施することができることは明らかである。即ち図１に示したような正六角形状をなしたコンクリートブロックまたは図３に示すような正八角形状をなしたコンクリートブロックの場合においては凹溝２が例えば図９〜図１３、図１６のように正四角形状のコーナー部に角取り部を形成した八角形のコンクリートブロックの四角形のコーナ部にあたる間に設けられることに代え、例えば図４９に示したように対向側辺の中央部間に設けられることによりブロックを連繋状態に設定した場合に凹溝２が相互に連結した流路として形成されることは明らかであって、このように側辺の中央部間に設けられた凹溝２は正確に４５°方向を採ることはないとしても河川の水流方向に対し適当な傾斜角を採って設定されることは明らかで図９〜図１３、図１６などに関して上述したような作用効果を同様に得しめることができる。
【００４１】
なお前記したような補助コンクリートブロック２１を用いる場合において、特に図３７〜図３９、図４５〜図４８に示すように突出部１９の両側に係止段３１、３１を対設したものを用いるような場合などにおいて流量が多かったり、流速が速くて補助ブロックが自立しにくい場合図４３または図４４に示すような固定連結構造を採用することができる。即ち図４２のようにブロックＡの基礎部Ｃと補助ブロックＢの係止段３１との間にボルトなどの固結手段２６またはインサート筋２７や座金２８を用い、また適宜にコンクリート３０を充填し、鋼製ボックス２９の如きと前記したような固結手段２６、２７、２８とを一体化した強固な固定ないし連結を図るものである。
【００４２】
上記したような本発明によるものは、複数の側辺を有する正多角形盤状ブロックにおける各側辺中央部に嵌合突部と該嵌合突部を受入れる嵌合凹部を交互に形成したことにより河川床などに複数個のブロックを沈降設定するに当って各ブロックの嵌合突部を嵌合凹部に係合させることによりブロック相互の連繋を図った設定をなすことができ、従って河川床などから殊更に矢板壁等を形成して排水などをすることなしに所定の設定関係を形成し得る。
【００４３】
前記正多角形盤状ブロックが正六角形状であることにより河川、湖沼ないし海岸の底面ないし岸部に設定されて流水または波力を受けた場合において方向性の少ない安定係合設定関係を形成せしめ、嵌合凹部と嵌合突部との嵌合状態を適切に保持して根固め目的を有効且つ適切に達成する。
【００４４】
前記正多角形盤状ブロックが正四角形状とされることによりその形状を単純化し、型枠などをも含む全般的な設計製作、管理ないし製品の整理や運搬などを容易とする。
【００４５】
前記正多角形盤状ブロックが正八角形状とされたことにより根固め工としての設定状態において多数のブロックが相互にバランスして連繋係合した設定状態を形成し、またその設定状態を安定化する。
【００４６】
前述したような正多角形盤状ブロックの表面に玉石または岩石などの天然石材突出模様または幾何学的凹凸模様を形成したことにより形成された根固め工上における流水速度を低減し、また河川周辺の景観を良好とする。更に水草や藻類の着生を容易として魚類などの餌場を形成し、更に粗石斜面型の魚道の如きとしての機能を適切に具備させることができる。
【００４７】
前述した正多角形盤状ブロックの表面周縁部に空洞状の天然石材突出模様または幾何学的突出模様を形成したことにより複数個のブロックに股がって大型の突出模様を形成して上記したような流速低減、景観良好などの作用を効果的に得しめ、またその空洞状内部を魚類などの棲息ないし退避域として有効に利用させる。
【００４８】
前述した正多角形盤状ブロックの表面に杭または丸太材若しくはそれらのコンクリート質部材による立体的模様を設けたことにより好ましい透過性水制工を形成して適切な水流の変化を図る。
【００４９】
複数の側辺を有する正多角形盤状ブロックにおける一方の面に交叉して横断した凹溝を設けたことにより設定されたブロックの底面において適宜に通水し、またブロックと河川の底面との間において好ましい係合関係を形成して安定な設定状態を構成し、しかも適宜に穴居性魚類ないし水中生物の棲息域を形成する。
【００５０】
また上記のような正多角形盤状ブロックにおける一方の面（実質的に底面）に交叉した凹溝を設けたことによりこの一方の面を底面として設定せしめて正多角形盤状ブロック底面で通水を可能とし、特に前記凹溝が河川流方向に対し傾斜した方向に設定することにより該凹溝の通水速度を緩慢化してブロック底面における土砂などの洗掘を防止する。しかもこの一方の面をブロックの上面として設定し、即ち水流方向に対し凹溝を傾斜状に設定して水流の速度を制御し、また河川の流水が少量となっても魚類などの通行する細流を確保する。
【００５１】
更に上記したような方形盤状ブロックのコーナ部に角取り面を形成し、該角取り面間に交叉した凹溝を設けることにより配設されたブロックのコーナ部間に上下方向の開口を形成して上記した凹溝内における通水を円滑に図り、即ち凹溝内の水を上下方向に給排水せしめて底面のみにおける急激な流水をなからしめて洗掘などを防止すると共に魚類など水中生物の凹溝内進入または退出を容易とする。また開口部に天然石材や建設廃材であるコンクリート塊などを充填することにより空隙部を各種水棲生物の住み処とすると共に流れる河川水の浄化を図る。
【００５２】
前記したような各側片中央部に設けられた嵌合突部と嵌合凹部が何れも円弧状であることによってそれら嵌合突部と嵌合凹部間における嵌合を容易且つ的確化し、また連繋設定されたブロック相互間で水流などによる若干の移動を許容し、無用な損傷欠損原因を解消する。なお前記嵌合突部と嵌合凹部が何れも台形状であることによってブロック相互間の嵌合設定を容易とすると共にブロック相互間での移動によってそれら嵌合突部と嵌合凹部間での係合関係を強固ならしめると共にその移動を適度に制限し、安定した設定を可能とする。
【００５３】
正多角形盤状ブロックにおける他方の面中央部に凹入部を設けたことによりこの他方の面を上面として設定したときにブロック表面中央に凹所による澱み部を形成して水勢を緩和し、また遊泳魚類などの休憩場所を形成し、更に一方の面におけるコーナ部に方形幾何学模様を突出形成したものとして採用して配設した場合にそれら方形幾何学的模様を集合させた集合立体模様を受入れて積層された配設ブロックの上下方向における結合を図り、水際部の護岸や簡易な砂防ダムとしての機能を得しめることができる。
【００５４】
前記のような石材様などの立体模様や凹部を形成した正多角形盤状ブロックの表面における周縁部に空洞状天然石材立体模様を形成したことによりブロックの周縁境界部をこの空洞状天然石材立体模様でカバーして護床工あるいは魚道を兼ねた護床工とした場合、該空洞状天然石材模様内を魚類などの棲息ないし鳥類などの天敵からの退避域として利用させる。
【００５５】
正多角形盤状ブロックにおける他方の面中央部に凹入部を設けると共に該凹入部に連通した溝部を嵌合突部または嵌合凹部部分またはその側方の何れかに設けたことによってブロック表面を幾何学模様として多様な流れや澱み部を形成し、立体的模様と同様に魚類の棲息ないし避難場として有効に機能する。
【００５６】
前述したようにブロック表面に十字状凹入部を設け、このような凹入部に嵌合する基座部を形成すると共に該基座部に堰止め部を設けた補助部体を嵌合させたことによって一般的手法によって平易に得られるブロックにこの補助部体を嵌合させて堰止め部をもったブロックとなし、即ち比較的小型且つ簡易に得られる補助部体として各種のものを準備することにより同じブロックを用いて多様な堰止め部つきブロックを低コストに提供し、またそれら堰止め部によって全面越流式階段あるいは部分越流式アイスハーバー型魚道としての作用を異にした護床工を自在に形成させる。
【００５７】
多段とされた堰止め部または潜孔部を配設し、魚類など水中生物の遊泳力または好みに応じた通過部を補助部体に併設したことにより前記のように嵌合設定される補助部体により多様な魚類など水中生物に即応し魚道を兼ねた護床工を形成する。
【００５８】
前記したような護床用コンクリートブロックの複数個を、それらコンクリートブロックの嵌合突部と嵌合凹部とを相互に嵌合させて設定したことにより複数個のコンクリートブロックが相互に連繋された護床コンクリートブロック工を殊更に河川床の水を排除することなしにコンクリートブロックの落し込み操作によって平易に構成させる。
【００５９】
上記したような護床コンクリートブロックの複数個をそれらコンクリートブロックの嵌合突部と嵌合凹部とを相互に嵌合させて設定したことにより各根固めコンクリートブロックを簡易に嵌合連繋した設定をなすことができ、従って河川中に矢板壁を形成して充分に排水するような煩雑で相当の作業量を必要とすることなしに適切な根固めコンクリートブロック工を形成せしめ得る。
【００６０】
前記したように形成される護床コンクリートブロック工におけるコンクリートブロック間に上述したような補助部体を配設し、該補助部体の係止突部に定着部材を係止させ水平面に対し適度に傾斜させて固定したことにより補助ブロックの幅方向中間における突出部により根固めコンクリートブロック上を流下する水流を堰止めてプールを形成し溢出せしめることができ、この根固めブロック上を遊泳する魚類などに対する好ましい魚道を形成する。
【００６１】
【発明の効果】
以上説明したような本発明によるときは矢板壁などを形成して河川などにおける目的施工部を無水状態とすることなしに平易に連結施工することができ、しかも特別な金具や固定部材などを必要としないで、コンクリートブロックを順次に落し込み嵌合突部を嵌合凹部に嵌合させる程度で目的の施工を低コストに達成せしめ、しかもこのような護床工において不可避的な洗掘の如きを適切に防止し得るなどの好ましい効果を有するものであって工業的にその効果の大きい発明である。
【図面の簡単な説明】
【図１】本発明によるコンクリートブロックの１例を示した斜面図である。
【図２】本発明によるコンクリートブロックの比較的簡易な構成例の斜面図である。
【図３】本発明によるコンクリートブロックの比較的複雑な構成例を示した斜面図である。
【図４】図２のコーナー部に角取り部を形成した構成例の斜面図である。
【図５】図１に示したコンクリートブロックで得られる護床ブロック工の平面図である。
【図６】図２に示したコンクリートブロックによる護床ブロック工の平面図である。
【図７】図３と図２に示した各コンクリートブロックを併用した護床ブロック工の平面図である。
【図８】図４に示したコンクリートブロックによる護床ブロック工の平面図である。
【図９】本発明によるコンクリートブロックのもう１つの構成例を示した表面側斜面図である。
【図１０】図９に示したものの底面側斜面図である。
【図１１】更に別の本発明によるコンクリートブロックの表面側斜面図である。
【図１２】図９、図１０に示したコンクリートブロックに木材部体を垂立状に取付けたものの１例を示した斜面図である。
【図１３】図１１に示したコンクリートブロックに木材部体を格子枠の井桁状に取付けたものの斜面図である。
【図１４】図９、図１０および図１２に示したコンクリートブロックの連繋施工したブロック工状態を示した平面図および底面図である。
【図１５】図１０に示したコンクリートブロックを表面側として連繋施工した護床ブロック工の平面図である。
【図１６】本発明によるもう１つのコンクリートブロックを示した斜面図である。
【図１７】図１６のコンクリートブロックについて連繋施工したブロック工の平面図である。
【図１８】本発明によるコンクリートブロックに空洞部を設けたブロックを示した平面図である。
【図１９】図１８に示したものの側面図である。
【図２０】図１８、図１９に示したブロックについて空洞状擬石模様部の断面を示した平面図である。
【図２１】図１８〜図２０のブロックについての連繋施工状態の断面図である。
【図２２】図２１に示したブロック工についての通口ないし空洞部配設状態の断面を示した平面図である。
【図２３】本発明による空洞部を設けた更に別の例を示したコンクリートブロックの平面図である。
【図２４】図２３に示したものの側面図である。
【図２５】図２３、２４に示したものの空洞部を断面して示した平面図である。
【図２６】図２３〜２５に示したブロックを連繋せしめて得られるブロック工について空洞部の配設状態の断面を示した平面図である。
【図２７】本発明によるコンクリートブロックの幾何学的立体模様を配設したものの斜面図である。
【図２８】図２７のコンクリートブロックの底面に幾何学的凹部を設けたものの背面側からの斜面図である。
【図２９】図２７に示したコンクリートブロックによって形成されるブロック工の平面図である。
【図３０】図２７に示したコンクリートブロックに対し木材部材を取付け、また格子状の枠状部を形成したものによって構成されるブロック工の平面図である。
【図３１】図２８に示したコンクリートブロックによって形成されたコンクリートブロック工の平面図である。
【図３２】図２７、図２８に示したコンクリートブロックによる積層ブロック工の構成関係を示した断面図である。
【図３３】本発明による更に別のクリートブロックについての斜面図である。
【図３４】図３３に示したコンクリートブロックで形成されるブロック工を示した平面図である。
【図３５】本発明によるもう１つのコンクリートブロックについての斜面図である。
【図３６】図３５に示したコンクリートブロックで形成されるブロック工の平面図である。
【図３７】本発明における補助コンクリートブロックの１例についての斜面図である。
【図３８】本発明における補助コンクリートブロックの別の１例についての斜面図である。
【図３９】本発明における補助コンクリートブロックの更に別の１例についての斜面図である。
【図４０】図３７に示した補助ブロックを本発明コンクリートブロックに取付けた状態の斜面図である。
【図４１】図４０に示したコンクリートブロックによるブロック工の構成関係を示した平面図である。
【図４２】図４１の中央部における横断面図である。
【図４３】本発明におけるブロック固定構造の１例を示した部分的断面図である。
【図４４】図４３とは別のブロック固定構造を示した断面図である。
【図４５】本発明による補助ブロックの１例を示した斜面図である。
【図４６】本発明による補助ブロックの別の例を示した斜面図である。
【図４７】本発明による補助ブロックの更に別の例を示した斜面図である。
【図４８】本発明による補助ブロックのもう１つの例を示した斜面図である。
【図４９】本発明による図１に示したようなコンクリートブロックについて更に中央凹部と凹入流路を配設した別の例を示した平面図である。
【符号の説明】
１  正多角形盤状ブロック
１ａ  表面に天然石状立体模様を施した正多角形盤状ブロック
１ｂ  表面に幾何学的立体模様を施し底面中央部に嵌合凹部を設けた正多角形盤状ブロック
１ｃ  表面に天然石状立体模様とコーナー部に空洞状擬石模様を設けた正多角形盤状ブロック
１ｄ  表面の側面中央部に空洞状擬石模様を施した正多角形盤状ブロック
１ｅ  表面に屈曲またはストレート流路を形成した正多角形盤状ブロック
１ｆ  補助ブロックを嵌装するようにした正多角形盤状ブロック
２  凹溝
３  保持部材取付部
４  丸太状部材
５  格子状に組んだ枠状部（丸太状部材（４）による）
６  天然石立体模様
７  幾何学的立体模様
８  幾何学的凹部
９  通口
１０  凹み部
１１  ブロックの一方の側面
１２  嵌合突部（円形）
１２ａ  嵌合突部（台形）
１３  ブロックの他方の側面
１４  嵌合凹部（円形）
１４ａ  嵌合凹部（台形）
１５  角取り面
１６  集合立体模様
１７  方形凹部
１８  屈曲凹入した流路
１９  突出部
２０  空洞状擬石模様
２１  補助コンクリートブロック
２２  切欠部
２３  通口（幅方向）
２４  通口（長さ方向）
２５  基礎部
２６  固結手段
２７  インサート筋
２８  座金
２９  鋼製ボックス
３０  充填コンクリート
３１  係止段
３２  建設廃材としてのコンクリート塊
３５  中央凹部
【図１】
0004079384.tif 000002
【図２】
0004079384.tif 000003
【図３】
0004079384.tif 000004
【図４】
0004079384.tif 000005
【図５】
0004079384.tif 000006
【図６】
0004079384.tif 000007
【図７】
0004079384.tif 000008
【図８】
0004079384.tif 000009
【図９】
0004079384.tif 000010
【図１０】
0004079384.tif 000011
【図１１】
0004079384.tif 000012
【図１２】
0004079384.tif 000013
【図１３】
0004079384.tif 000014
【図１４】
0004079384.tif 000015
【図１５】
0004079384.tif 000016
【図１６】
0004079384.tif 000017
【図１７】
0004079384.tif 000018
【図１８】
0004079384.tif 000019
【図１９】
0004079384.tif 000020
【図２０】
0004079384.tif 000021
【図２１】
0004079384.tif 000022
【図２２】
0004079384.tif 000023
【図２３】
0004079384.tif 000024
【図２４】
0004079384.tif 000025
【図２５】
0004079384.tif 000026
【図２６】
0004079384.tif 000027
【図２７】
0004079384.tif 000028
【図２８】
0004079384.tif 000029
【図２９】
0004079384.tif 000030
【図３０】
0004079384.tif 000031
【図３１】
0004079384.tif 000032
【図３２】
0004079384.tif 000033
【図３３】
0004079384.tif 000034
【図３４】
0004079384.tif 000035
【図３５】
0004079384.tif 000036
【図３６】
0004079384.tif 000037
【図３７】
0004079384.tif 000038
【図３８】
0004079384.tif 000039
【図３９】
0004079384.tif 000040
【図４０】
0004079384.tif 000041
【図４１】
0004079384.tif 000042
【図４２】
0004079384.tif 000043
【図４３】
0004079384.tif 000044
【図４４】
0004079384.tif 000045
【図４５】
0004079384.tif 000046
【図４６】
0004079384.tif 000047
【図４７】
0004079384.tif 000048
【図４８】
0004079384.tif 000049
【図４９】
0004079384.tif 000050